(57)【要約】【課題】送信無線信号を測定する機能を有する構成において、回路構成の簡略化を図ることが可能な無線通信装置を提供する。【解決手段】無線通信装置１０１は、無線送信部５２から送信される無線信号を測定するために、分岐回路１６から受けた無線信号を、供給される第１の測定用変換信号を用いて周波数の低い第１の測定信号に変換し、第１の測定信号を、供給される第２の測定用変換信号を用いてデジタル信号に変換するか、または供給される第２の測定用変換信号を用いてさらに周波数の低い第２の測定信号に変換し、第２の測定信号をデジタル信号に変換するための送信信号測定部５５と、送信用変換信号および第２の測定用変換信号を用いて第１の測定用変換信号を生成するための変換信号生成部１７とを備える。【選択図】図２
2012119744.tif 000002
【特許請求の範囲】
【請求項１】
送信すべき通信データを生成し、生成した前記通信データをアナログ信号に変換して出力するための送信データ処理部と、
前記送信データ処理部から受けた前記アナログ信号を、供給される送信用変換信号を用いて無線信号に変換し、他の装置へ送信するための無線送信部とを備え、
前記無線送信部は、前記無線信号を分岐して出力するための分岐回路を含み、
さらに、
前記無線信号を測定するために、前記分岐回路から受けた前記無線信号を、供給される第１の測定用変換信号を用いて周波数の低い第１の測定信号に変換し、前記第１の測定信号を、供給される第２の測定用変換信号を用いてデジタル信号に変換するか、または供給される第２の測定用変換信号を用いてさらに周波数の低い第２の測定信号に変換し、前記第２の測定信号をデジタル信号に変換するための送信信号測定部と、
前記送信用変換信号および前記第２の測定用変換信号を用いて前記第１の測定用変換信号を生成するための変換信号生成部とを備える、無線通信装置。
【請求項２】
前記変換信号生成部は、前記送信用変換信号と前記第２の測定用変換信号の分周信号とを乗算し、前記乗算により発生する信号のうち、イメージ周波数の信号を減衰させるための減衰回路を含む、請求項１に記載の無線通信装置。
【請求項３】
前記送信用変換信号の周波数は変更可能であり、前記送信用変換信号の周波数に応じて前記無線信号の周波数が変化し、
前記減衰回路は、前記送信用変換信号の周波数に応じて減衰対象周波数を変更する、請求項２に記載の無線通信装置。
【請求項４】
前記変換信号生成部は、前記送信用変換信号を生成し、供給される制御電圧に応じて前記送信用変換信号の周波数が変化する電圧制御発振回路を含み、
前記減衰回路は、前記制御電圧に応じて前記減衰対象周波数を変更する、請求項３に記載の無線通信装置。
【請求項５】
前記減衰回路は、供給される前記制御電圧に応じて容量値が変化する可変容量素子を含み、前記可変容量素子の容量値に応じて前記減衰対象周波数が変化する、請求項４に記載の無線通信装置。
【請求項６】
前記減衰回路はトラップ回路である、請求項２から５のいずれか１項に記載の無線通信装置。
【請求項７】
前記送信信号測定部は、前記分岐回路から受けた前記無線信号と前記第１の測定用変換信号とを乗算することにより、前記第１の測定信号を出力するための第１のミキサと、
前記第２の測定用変換信号として供給されるクロックに基づいて、前記第１の測定信号をデジタル信号に変換するためのアナログ／デジタル変換器とを含み、
前記変換信号生成部は、
前記クロックを受けて分周するための分周回路と、
前記分周回路によって分周された前記クロックと前記送信用変換信号とを乗算することにより、第１の測定用変換信号を出力するための第２のミキサと、
前記第２のミキサから出力される前記第１の測定用変換信号に含まれるイメージ周波数の信号を減衰させ、減衰後の前記第１の測定用変換信号を前記第１のミキサへ出力するための減衰回路とを含む、請求項１から６のいずれか１項に記載の無線通信装置。
【請求項８】
前記送信データ処理部は、前記送信信号測定部によって変換された前記第２の測定信号に基づいて前記通信データを補正し、補正した前記通信データをアナログ信号に変換して出力する、請求項１から７のいずれか１項に記載の無線通信装置。
【請求項９】
前記送信信号測定部は、前記第１の測定信号を、供給される第３の測定用変換信号を用いてさらに周波数の低い第３の測定信号に変換し、前記第２の測定用変換信号として供給されるクロックに基づいて、前記第３の測定信号をデジタル信号に変換し、
前記変換信号生成部は、前記送信用変換信号および前記クロックを用いて前記第１の測定用変換信号を生成し、前記送信用変換信号および前記第１の測定用変換信号を用いて前記第３の測定用変換信号を生成する、請求項１から８のいずれか１項に記載の無線通信装置。
【発明の詳細な説明】
【技術分野】
【０００１】
本発明は、無線通信装置に関し、特に、送信無線信号を測定する機能を有する無線通信装置に関する。
【背景技術】
【０００２】
無線通信装置において、送信データを補正することで送信アンプ等の歪みを補償するＤＰＤ（Digital Pre Distortion）を行なう場合がある（たとえば、Lei Ding, "Digital predistortion of power amplifiers for wireless application", Thesis, Georgia institute of Technology, 2004（非特許文献１）参照）。
【０００３】
この場合、無線通信装置では、たとえば、分岐された送信無線信号を受信処理してベースバンドのデジタル信号に変換することにより、当該送信無線信号を測定する送信信号測定部が設けられる。
【先行技術文献】
【非特許文献】
【０００４】
【非特許文献１】Lei Ding, "Digital predistortion of power amplifiers for wireless application", Thesis, Georgia institute of Technology, 2004
【発明の概要】
【発明が解決しようとする課題】
【０００５】
ＤＰＤを採用する装置では、たとえば、無線送信部において、ベースバンド信号または中間周波信号を送信無線信号にアップコンバートする際に用いるＶＣＯ（電圧制御発振回路：Voltage Controlled Oscillator）を設けることに加えて、送信信号測定部において、当該送信無線信号をダウンコンバートする際に用いるＶＣＯを設ける必要がある。
【０００６】
このように、ＤＰＤを採用する装置では、送信系および測定系において少なくとも２つのＶＣＯが必要となる。ＶＣＯは、他の部品と比べて大きく、かつ高価であることから、このようなＶＣＯの搭載数を削減することにより、装置の回路構成の簡略化を図る技術が望まれる。
【０００７】
しかしながら、非特許文献１には、このような問題点を解決するための構成は開示されていない。
【０００８】
この発明は、上述の課題を解決するためになされたもので、その目的は、送信無線信号を測定する機能を有する構成において、回路構成の簡略化を図ることが可能な無線通信装置を提供することである。
【課題を解決するための手段】
【０００９】
（１）上記課題を解決するために、この発明のある局面に係わる無線通信装置は、送信すべき通信データを生成し、生成した上記通信データをアナログ信号に変換して出力するための送信データ処理部と、上記送信データ処理部から受けた上記アナログ信号を、供給される送信用変換信号を用いて無線信号に変換し、他の装置へ送信するための無線送信部とを備え、上記無線送信部は、上記無線信号を分岐して出力するための分岐回路を含み、さらに、上記無線信号を測定するために、上記分岐回路から受けた上記無線信号を、供給される第１の測定用変換信号を用いて周波数の低い第１の測定信号に変換し、上記第１の測定信号を、供給される第２の測定用変換信号を用いてデジタル信号に変換するか、または供給される第２の測定用変換信号を用いてさらに周波数の低い第２の測定信号に変換し、上記第２の測定信号をデジタル信号に変換するための送信信号測定部と、上記送信用変換信号および上記第２の測定用変換信号を用いて上記第１の測定用変換信号を生成するための変換信号生成部とを備える。
【００１０】
このような構成により、送信信号測定部における第１の測定用変換信号を生成するためのＶＣＯを不要としながら、送信用変換信号の周波数に応じて周波数が変化する第１の測定用変換信号を生成することが可能となる。したがって、装置の回路構成の簡略化を図ることができる。
【００１１】
（２）好ましくは、上記変換信号生成部は、上記送信用変換信号と上記第２の測定用変換信号の分周信号とを乗算し、上記乗算により発生する信号のうち、イメージ周波数の信号を減衰させるための減衰回路を含む。
【００１２】
このような構成により、上記乗算によって発生するイメージ周波数の信号によって妨害信号を含んだ第１の測定信号が出力され、送信無線信号の誤った測定結果が得られることを防ぐことができる。
【００１３】
（３）より好ましくは、上記送信用変換信号の周波数は変更可能であり、上記送信用変換信号の周波数に応じて上記無線信号の周波数が変化し、上記減衰回路は、上記送信用変換信号の周波数に応じて減衰対象周波数を変更する。
【００１４】
このような構成により、無線通信装置の送信周波数が設定変更可能な場合でも、当該送信周波数に追従して減衰回路の減衰対象周波数を変更することができるため、イメージ周波数の信号を適切に除去することができる。
【００１５】
（４）より好ましくは、上記変換信号生成部は、上記送信用変換信号を生成し、供給される制御電圧に応じて上記送信用変換信号の周波数が変化する電圧制御発振回路を含み、上記減衰回路は、上記制御電圧に応じて上記減衰対象周波数を変更する。
【００１６】
このような構成により、簡易な構成で送信用変換信号の周波数の情報を減衰回路に通知することができる。
【００１７】
（５）より好ましくは、上記減衰回路は、供給される上記制御電圧に応じて容量値が変化する可変容量素子を含み、上記可変容量素子の容量値に応じて上記減衰対象周波数が変化する。
【００１８】
このような構成により、減衰回路における容量を連続的に制御できるので、インダクタンスを離散的に制御する構成と比べて、減衰対象周波数をなめらかに制御することができる。
【００１９】
（６）より好ましくは、上記減衰回路はトラップ回路である。
【００２０】
このような構成により、イメージ周波数成分の信号のみを適切に減衰させることができる。
【００２１】
（７）好ましくは、上記送信信号測定部は、上記分岐回路から受けた上記無線信号と上記第１の測定用変換信号とを乗算することにより、上記第１の測定信号を出力するための第１のミキサと、上記第２の測定用変換信号として供給されるクロックに基づいて、上記第１の測定信号をデジタル信号に変換するためのアナログ／デジタル変換器とを含み、上記変換信号生成部は、上記クロックを受けて分周するための分周回路と、上記分周回路によって分周された上記クロックと上記送信用変換信号とを乗算することにより、第１の測定用変換信号を出力するための第２のミキサと、上記第２のミキサから出力される上記第１の測定用変換信号に含まれるイメージ周波数の信号を減衰させ、減衰後の上記第１の測定用変換信号を上記第１のミキサへ出力するための減衰回路とを含む。
【００２２】
このような構成により、簡易な構成で、送信信号測定部における第１の測定用変換信号を生成するためのＶＣＯを不要としながら、送信用変換信号の周波数に応じて周波数が変化する第１の測定用変換信号を生成することが可能となる。また、送信無線信号の誤った測定結果が得られることを防ぐことができる。
【００２３】
（８）好ましくは、上記送信データ処理部は、上記送信信号測定部によって変換された上記第２の測定信号に基づいて上記通信データを補正し、補正した上記通信データをアナログ信号に変換して出力する。
【００２４】
このような構成により、ＶＣＯの搭載数を削減しながら、送信無線信号の測定結果を用いて通信データを補正し、無線通信装置の送信特性を向上させることができる。
【００２５】
（９）好ましくは、上記送信信号測定部は、上記第１の測定信号を、供給される第３の測定用変換信号を用いてさらに周波数の低い第３の測定信号に変換し、上記第２の測定用変換信号として供給されるクロックに基づいて、上記第３の測定信号をデジタル信号に変換し、上記変換信号生成部は、上記送信用変換信号および上記クロックを用いて上記第１の測定用変換信号を生成し、上記送信用変換信号および上記第１の測定用変換信号を用いて上記第３の測定用変換信号を生成する。
【００２６】
このような構成により、送信信号測定部における第１の測定用変換信号および第３の測定用変換信号を生成するための２つのＶＣＯを不要としながら、送信用変換信号の周波数に応じて周波数が変化する第１の測定用変換信号を生成することが可能となる。したがって、装置の回路構成の簡略化を図ることができる。
【発明の効果】
【００２７】
本発明によれば、送信無線信号を測定する機能を有する構成において、回路構成の簡略化を図ることができる。
【図面の簡単な説明】
【００２８】
【図１】本発明の第１の実施の形態に係る無線通信システムの構成を示す図である。
【図２】本発明の第１の実施の形態に係る無線通信装置の構成を示す図である。
【図３】本発明の第１の実施の形態に係る変換信号生成部の構成を示す図である。
【図４】本発明の第１の実施の形態に係る無線通信装置における各信号の周波数配置を示す図である。
【図５】本発明の第１の実施の形態に係る無線通信装置の変換信号生成部における各信号の周波数配置を示す図である。
【図６】本発明の第１の実施の形態に係る無線通信装置の変換信号生成部における減衰回路の周波数特性を示す図である。
【図７】本発明の第２の実施の形態に係る無線通信装置の構成を示す図である。
【図８】本発明の第２の実施の形態に係る変換信号生成部の構成を示す図である。
【図９】本発明の第３の実施の形態に係る無線通信装置の構成を示す図である。
【図１０】本発明の第３の実施の形態に係る変換信号生成部の構成を示す図である。
【発明を実施するための形態】
【００２９】
以下、本発明の第１の実施の形態について図面を用いて説明する。なお、図中同一または相当部分には同一符号を付してその説明は繰り返さない。
【００３０】
＜第１の実施の形態＞
［構成および基本動作］
図１は、本発明の第１の実施の形態に係る無線通信システムの構成を示す図である。
【００３１】
図１を参照して、無線通信システム３０１は、無線基地局装置（無線通信装置）１０１と、複数の無線端末装置（無線通信装置）２０１とを備える。
【００３２】
無線基地局装置１０１は、通信データを生成して無線端末装置２０１へ送信する。この通信データには、上位ネットワークから受信したデータも含まれる。また、無線基地局装置１０１は、無線端末装置２０１から受信した通信データの全部または一部を上位ネットワークへ送信する。
【００３３】
ここで、無線基地局装置１０１および無線端末装置２０１においてそれぞれ生成された通信データは、無線基地局装置１０１および無線端末装置２０１によってそれぞれ種々の信号処理が施され、最終的に無線信号に変換された後、無線端末装置２０１および無線基地局装置１０１へそれぞれ送信される。
【００３４】
図２は、本発明の第１の実施の形態に係る無線通信装置の構成を示す図である。
【００３５】
図２を参照して、無線基地局装置（無線通信装置）１０１は、送信データ処理部５１と、無線送信部５２と、送信信号測定部５５と、アンテナ１８と、変換信号生成部１７とを備える。送信データ処理部５１は、通信データ生成部７５と、データ補正部７６と、デジタル／アナログ変換器（ＤＡＣ）１２とを含む。無線送信部５２は、直交変調器１３と、送信アンプ１５と、カプラ（分岐回路）１６とを含む。直交変調器１３は、ミキサ１４を含む。送信信号測定部５５は、ミキサ１９と、ＬＰＦ２０と、アナログ／デジタル変換器（ＡＤＣ）２１と、ベースバンド変換部７１とを含む。信号処理部１１は、たとえばＤＳＰ（Digital Signal Processor）であり、少なくとも通信データ生成部７５、データ補正部７６およびベースバンド変換部７１の機能を実行する。
【００３６】
変換信号生成部１７は、送信データ処理部５１、無線送信部５２および送信信号測定部５５を動作させるための各種変換信号を生成する。
【００３７】
送信データ処理部５１は、送信すべき通信データを生成し、生成した通信データをアナログ信号に変換して出力する。
【００３８】
無線送信部５２は、変換信号生成部１７から供給される周波数ｆＴＸの送信用ローカル信号（送信用変換信号）に基づいて動作することにより、送信データ処理部５１から受けたアナログ信号を無線信号に変換して無線端末装置２０１へ送信する。
【００３９】
送信信号測定部５５は、変換信号生成部１７から供給される周波数ｆＭＴＸの測定用ローカル信号（第１の測定用変換信号）および周波数ｆＡＤＣのクロック（第２の測定用変換信号）に基づいて動作することにより、無線送信部５２から受けた無線信号を中間周波帯のＩＦ信号に変換し、変換したＩＦ信号をデジタル信号に変換する。
【００４０】
すなわち、送信信号測定部５５は、無線送信部５２から無線端末装置２０１へ送信される送信無線信号を測定するために、カプラ１６から受けた無線信号を、変換信号生成部１７から供給される周波数ｆＭＴＸの測定用ローカル信号を用いて周波数の低い中心周波数ｆＩＦのＩＦ（Intermediate Frequency）信号（第１の測定信号）に変換する。そして、送信信号測定部５５は、変換したＩＦ信号を、変換信号生成部１７から供給される周波数ｆＡＤＣのクロックを用いてデジタル信号に変換する。
【００４１】
より詳細には、送信データ処理部５１において、通信データ生成部７５は、たとえば上位ネットワークから受信したデータを含む通信データを生成し、生成した通信データに対してたとえばＯＦＤＭ（Orthogonal Frequency Division Multiplex）方式におけるＩＦＦＴ（Inverse First Fourier Transform）等の信号処理を行い、この信号処理後のデジタル信号をデータ補正部７６へ出力する。
【００４２】
デジタル／アナログ変換器１２は、データ補正部７６を介して通信データ生成部７５から受けたデジタル信号を、変換信号生成部１７から供給される周波数ｆＤＡＣのクロックを用いてアナログ信号に変換し、直交変調器１３へ出力する。
【００４３】
直交変調器１３は、デジタル／アナログ変換器１２から受けたベースバンドのアナログ信号と変換信号生成部１７から受けた周波数ｆＴＸの送信用ローカル信号とをミキサ１４によって乗算することにより、デジタル／アナログ変換器１２から受けたアナログ信号をたとえば直交変調して無線信号すなわちＲＦ（Radio Frequency）帯の信号に変換し、送信アンプ１５へ出力する。
【００４４】
送信アンプ１５は、ミキサ１４から受けた無線信号を増幅し、カプラ１６へ出力する。
【００４５】
カプラ１６は、送信アンプ１５から受けた無線信号を分岐して出力する。カプラ１６によって分岐された一方の無線信号は、アンテナ１８を介して無線端末装置２０１へ送信される。また、カプラ１６によって分岐された他方の無線信号は、送信信号測定部５５におけるミキサ１９へ出力される。ここで、カプラ１６からミキサ１９へ出力される無線信号の電力は、カプラ１６からミキサ１９へ出力される無線信号の電力と比べてかなり小さくなるように、カプラ１６における結合度が設定される。
【００４６】
ミキサ１９は、カプラ１６から受けた無線信号と変換信号生成部１７から受けた周波数ｆＭＴＸの測定用ローカル信号とを乗算することにより、カプラ１６から受けた無線信号を中心周波数ｆＩＦのＩＦ信号に周波数変換し、ローパスフィルタ２０へ出力する。
【００４７】
ローパスフィルタ２０は、ミキサ１９から受けたＩＦ信号の周波数成分のうち、所定の周波数以上の成分を減衰させた信号をアナログ／デジタル変換器２１へ出力する。
【００４８】
アナログ／デジタル変換器２１は、ローパスフィルタ２０から受けたＩＦ信号をサンプリング周波数ｆＡＤＣでアナログ／デジタル変換し、信号処理部１１におけるベースバンド変換部７１へ出力する。ここで、アナログ／デジタル変換器２１は、変換信号生成部１７から受けた周波数ｆＡＤＣのクロックを用いて上記ＩＦ信号をサンプリングする。
【００４９】
ベースバンド変換部７１は、アナログ／デジタル変換器２１から受けたＩＦ帯のデジタル信号をたとえば直交復調してベースバンドのデジタル信号に変換し、データ補正部７６へ出力する。このベースバンドのデジタル信号が、無線送信部５２から出力される送信無線信号の測定結果を示している。
【００５０】
データ補正部７６は、ベースバンド変換部７１から受けたデジタル信号に基づいて、通信データ生成部７５によって生成された通信データを補正し、デジタル／アナログ変換器１２へ出力する。より詳細には、データ補正部７６は、たとえば、無線送信部５２から受けたデジタル信号が示す送信無線信号の測定結果から、当該送信無線信号の変調帯域外の成分すなわちサイドローブを測定し、このサイドローブが所定レベル以下になるように通信データを補正する。
【００５１】
図３は、本発明の第１の実施の形態に係る変換信号生成部の構成を示す図である。
【００５２】
図３を参照して、変換信号生成部１７は、基準発振器２２と、分周回路２３，２４と、矩形波変換回路２５と、電圧制御発振回路３１と、ＰＬＬ（Phase Locked Loop）回路３２と、カプラ３３と、ミキサ３４と、減衰回路３５と、分周回路３６とを含む。減衰回路３５は、コイルＬと、キャパシタＣと、可変容量素子ＣＶと、抵抗Ｒとを含む。可変容量素子ＣＶは、たとえばバリキャップダイオードである。
【００５３】
変換信号生成部１７は、送信用ローカル信号およびアナログ／デジタル変換器２１へのサンプリングクロックを用いて測定用ローカル信号を生成する。すなわち、変換信号生成部１７は、周波数ｆＴＸの送信用ローカル信号と周波数ｆＡＤＣのクロックの分周クロックとを乗算することにより、周波数ｆＭＴＸの測定用ローカル信号を生成する。
【００５４】
より詳細には、基準発振器２２は、アナログ信号である基準クロックを生成して出力する。矩形波変換回路２５は、基準発振器２２から受けた基準クロックをデジタル信号のクロックに変換し、分周回路２３，２４へ出力する。
【００５５】
分周回路２３は、矩形波変換回路２５から受けたクロックを１／ｎ１（ｎ１は１以上の整数）に分周して周波数ｆＤＡＣのクロックを生成し、デジタル／アナログ変換器１２へ出力する。分周回路２４は、矩形波変換回路２５から受けたクロックを１／ｎ２（ｎ２は１以上の整数）に分周して周波数ｆＡＤＣのクロックを生成し、アナログ／デジタル変換器２１および分周回路３６へ出力する。
【００５６】
分周回路３６は、分周回路２４から受けたクロックを１／ｎ３（ｎ３は１以上の整数）に分周して周波数ｆＩＦのクロックを生成し、ミキサ３４へ出力する。分周回路８１は、矩形波変換回路２５から受けたクロックを１／ｎ４（ｎ４は１以上の整数）に分周して位相比較用クロックを生成し、ＰＬＬ回路３２へ出力する。
【００５７】
電圧制御発振回路３１は、送信用ローカル信号を生成してカプラ３３およびＰＬＬ回路３２へ出力する。また、電圧制御発振回路３１は、ＰＬＬ回路３２から受けた制御電圧Ｖｃｔｒｌに基づいて送信用ローカル信号の周波数ｆＴＸを変更する。
【００５８】
ＰＬＬ回路３２は、電圧制御発振回路３１から受けた送信用ローカル信号の周波数ｆＴＸが位相比較用クロックの位相と同期し、かつ所定値になるように、電圧制御発振回路３１へ出力する制御電圧のレベルを制御する。
【００５９】
カプラ３３は、電圧制御発振回路３１から受けた送信用ローカル信号を分岐して出力する。カプラ３３によって分岐された一方の送信用ローカル信号は、直交変調器１３へ出力される。カプラ３３によって分岐された他方の送信用ローカル信号は、ミキサ３４へ出力される。
【００６０】
ミキサ３４は、カプラ３３から受けた周波数ｆＴＸの送信用ローカル信号と分周回路３６から受けた周波数ｆＩＦのクロックとを乗算することにより、周波数ｆＭＴＸの測定用ローカル信号を生成して減衰回路３５へ出力する。
【００６１】
減衰回路３５は、たとえばＬＣ共振回路によって構成されるトラップ回路であり、ミキサ３４の乗算により発生する信号のうち、測定用ローカル信号の周波数ｆＭＴＸ以外の周波数（以下、減衰対象周波数とも称する。）すなわちイメージ周波数の信号を減衰させ、ミキサ１９へ出力する。
【００６２】
［動作］
まず、本発明の第１の実施の形態に係る無線通信装置が変換信号を生成する際の動作について図面を用いて説明する。
【００６３】
無線基地局装置１０１の送信無線信号は、たとえば帯域幅がＢＷ［ＭＨｚ］に設定され、ＢＷ［ＭＨｚ］の範囲でＯＦＤＭ変調が行われる。送信無線信号のキャリア周波数すなわち中心周波数は、たとえば２０００ＭＨｚ、２０００＋ＢＷ［ＭＨｚ］、２０００＋２×ＢＷ［ＭＨｚ］・・・に設定される。
【００６４】
ＤＰＤ等を行なうために送信無線信号をモニタする場合には、送信無線信号のサイドローブを測定するために、送信無線信号の変調帯域幅の数倍の帯域を復調する必要がある。
【００６５】
図４は、本発明の第１の実施の形態に係る無線通信装置における各信号の周波数配置を示す図である。
【００６６】
図４において、横軸が周波数を示し、縦軸がレベルを示す。また、ｆＩＦは、ミキサ１９が出力するＩＦ信号の中心周波数を示し、ＢＷは、ミキサ１９が出力するＩＦ信号の変調帯域幅を示し、ｆＡＤＣは、アナログ／デジタル変換器２１におけるサンプリング周波数すなわちアナログ／デジタル変換器２１が用いるクロックの周波数を示している。
【００６７】
また、図４は、アナログ／デジタル変換器２１がミキサ１９からのＩＦ信号に対してオーバーサンプリングを行い、ｆＩＦ：ｆＡＤＣ＝１：４である場合を示している。
【００６８】
図４を参照して、送信信号測定部５５において、アナログ／デジタル変換器２１がサンプリング周波数ｆＡＤＣで中心周波数ｆＩＦのＩＦ信号をサンプリングすることにより、ＤＣ（０Ｈｚ）〜ｆＡＤＣ／２のナイキスト領域内における中心周波数ｆＩＦかつバンド幅（ＢＷ×５）のＩＦ信号をデジタル変換した信号が生成される。これにより、当該ＩＦ信号の変調帯域外の成分すなわちサイドローブＳＤを測定することが可能となる。
【００６９】
なお、サンプリング周波数ｆＡＤＣは、アナログ／デジタル変換器２１の使用可能帯域を上限とした値に設定される。そして、ＤＣ（０Ｈｚ）〜ｆＡＤＣ／２のナイキスト領域内にバンド幅（ＢＷ×５）のデジタル信号を生成できるように、アナログ／デジタル変換器２１へ入力される信号の中心周波数ｆＩＦおよびサンプリング周波数ｆＡＤＣの値が設定される。すなわち、中心周波数ｆＩＦおよび周波数ｆＡＤＣの比は固定的に設定される。
【００７０】
ここで、無線基地局装置１０１では、送信用ローカル信号の周波数は変更可能であり、送信用ローカル信号の周波数を変更することにより、送信無線信号の周波数が設定される。
【００７１】
このため、無線基地局装置１０１では、送信無線信号の設定周波数に関わらず、送信信号測定部５５におけるアナログ／デジタル変換器２１の変換対象信号の中心周波数ｆＩＦが一定になるように、すなわちミキサ１９における周波数変換によって生成される信号の中心周波数ｆＩＦが一定となるように、ミキサ１９が周波数変換に用いる測定用ローカル信号の周波数ｆＭＴＸを制御する必要がある。
【００７２】
すなわち、送信無線信号の中心周波数をｆＴＸとし、アナログ／デジタル変換器２１に入力される信号の中心周波数をｆＩＦとすると、以下の関係が成立する。
ｆＴＸ−ｆＭＴＸ＝ｆＩＦ・・・（Ａ）
【００７３】
この式（Ａ）に従い、ｆＩＦが一定値となるように、ミキサ１９へ出力するローカル信号の周波数ｆＭＴＸを制御することにより、周波数ｆＭＴＸを周波数ｆＴＸに追従させる必要がある。
【００７４】
すなわち、式（Ａ）より、測定用ローカル信号の周波数ｆＭＴＸは以下の式で表される。
ｆＭＴＸ＝ｆＴＸ−ｆＩＦ・・・（Ｂ）
【００７５】
式（Ｂ）より、測定用ローカル信号は、周波数ｆＴＸを有する信号と周波数ｆＩＦを有する信号とを乗算することにより得られることが分かる。
【００７６】
ここで、アナログ／デジタル変換器２１に入力される信号の中心周波数ｆＩＦと、アナログ／デジタル変換器２１のサンプリングクロックの周波数ｆＡＤＣとの間には、たとえば、アナログ／デジタル変換器２１がオーバーサンプリングを行なう場合、前述のようにｆＩＦ：ｆＡＤＣ＝１：４の固定関係がある。このため、アナログ／デジタル変換器２１のサンプリングクロックを固定比で分周することにより、周波数ｆＩＦのクロックを作成することができる。
【００７７】
そこで、無線通信装置１０１では、この固定関係を利用して、分周回路３６によってアナログ／デジタル変換器２１のサンプリングクロックを４分周し、ミキサ３４によって分周クロックと周波数ｆＴＸの送信用ローカル信号と乗算する。
【００７８】
これにより、送信信号測定部５５における測定用ローカル信号を生成するためのＶＣＯを不要としながら、送信用ローカル信号の周波数ｆＴＸに応じて周波数ｆＭＴＸが変化する測定用ローカル信号を生成することが可能となる。
【００７９】
ここで、無線通信装置１０１では、変換信号生成部１７のミキサ３４において、イメージ周波数の信号が発生する。送信信号測定部５５におけるミキサ１９がこのイメージ周波数の信号を受けると、ミキサ１９からアナログ／デジタル変換器２１へ妨害信号が出力される場合がある。そうすると、データ補正部７６は、当該妨害信号を用いてＤＰＤの補償演算を行なってしまう。
【００８０】
図５は、本発明の第１の実施の形態に係る無線通信装置の変換信号生成部における各信号の周波数配置を示す図である。
【００８１】
図５を参照して、ミキサ３４が、カプラ３３から受けた周波数ｆＴＸの送信用ローカル信号と分周回路３６から受けた周波数ｆＩＦのクロックとを乗算すると、ミキサ１９へ出力すべき周波数ｆＭＴＸ＝ｆＴＸ−ｆＩＦの測定用ローカル信号に加えて、周波数（ｆＴＸ＋ｆＩＦ）のイメージ周波数の信号が発生する。
【００８２】
ここで、不要信号の漏えい等の原因により、送信信号測定部５５におけるミキサ１９が（ｆＴＸ＋２×ｆＩＦ）の周波数成分を有する妨害信号を受けると、以下の式（Ｃ）で表されるように、ミキサ１９から中心周波数ｆＩＦの妨害信号が出力されてしまう。そうすると、データ補正部７６において誤ったデータ補正が行われてしまう場合がある。
ｆＴＸ＋ｆＩＦ−ｆＴＸ＝ｆＩＦ・・・（Ｃ）
【００８３】
このような問題点を解決するために、無線通信装置１０１では、変換信号生成部１７において減衰回路３５を設ける。
【００８４】
図６は、本発明の第１の実施の形態に係る無線通信装置の変換信号生成部における減衰回路の周波数特性を示す図である。
【００８５】
図６を参照して、減衰回路３５は、ミキサ３４から受けた信号のうち、周波数（ｆＴＸ＋ｆＩＦ）のイメージ周波数の信号成分を減衰させ、減衰後の信号をミキサ１９へ出力する。
【００８６】
また、減衰回路３５は、送信用ローカル信号の周波数ｆＴＸに応じて減衰対象周波数を変更する。
【００８７】
より詳細には、電圧制御発振回路３１は、送信用ローカル信号を生成し、供給される制御電圧に応じて送信用ローカル信号の周波数ｆＴＸを変化させる。たとえば、周波数ｆＴＸは、制御電圧Ｖｃｔｒｌが大きくなると高くなり、小さくなると低くなる。
【００８８】
変換信号生成部１７では、これを利用して、減衰回路３５が、制御電圧Ｖｃｔｒｌに応じて減衰対象周波数を変更する。
【００８９】
たとえば、減衰回路３５は、供給される制御電圧Ｖｃｔｒｌに応じて容量値が変化する可変容量素子ＣＶを含み、可変容量素子ＣＶの容量値に応じて減衰対象周波数を変化させる。
【００９０】
したがって、減衰回路３５における可変容量素子ＣＶへ与える制御電圧Ｖｃｔｒｌを制御することにより、送信周波数ｆＴＸの変更によるイメージ周波数の変化に追従して、当該イメージ周波数の信号を減衰させることが可能となる。
【００９１】
また、減衰回路３５においてバリキャップダイオード等の可変容量素子を用いる構成により、ＬＣ共振回路における容量を連続的に制御できるので、インダクタンスを離散的に制御する構成と比べて、減衰対象周波数をなめらかに制御することができる。
【００９２】
なお、電圧レベル、および容量値の変化度合い等の問題により、制御電圧Ｖｃｔｒｌをそのまま減衰回路３５における可変容量素子ＣＶに供給することができない場合には、図３に示すように、トラップ制御回路８２を設けてもよい。
【００９３】
すなわち、トラップ制御回路８２は、電圧制御発振回路３１から受けた制御電圧Ｖｃｔｒｌを変換して可変容量素子ＣＶに供給する。たとえば、トラップ制御回路８２の出力電圧Ｙは、定数ａおよび定数ｂを用いて以下の式で表される。
Ｙ＝ａ×Ｖｃｔｒｌ＋ｂ
【００９４】
ところで、ＤＰＤを採用する装置では、送信系および測定系において少なくとも２つのＶＣＯが必要となる。ＶＣＯは、他の部品と比べて大きく、かつ高価であることから、このようなＶＣＯの搭載数を削減することにより、装置の回路構成の簡略化を図る技術が望まれる。
【００９５】
これに対して、本発明の第１の実施の形態に係る無線通信装置では、送信信号測定部５５は、無線送信部５２から無線端末装置２０１へ送信される無線信号を測定するために、カプラ１６から受けた無線信号を、変換信号生成部１７から供給される周波数ｆＭＴＸの測定用ローカル信号を用いて周波数の低い中心周波数ｆＩＦのＩＦ信号に変換する。そして、送信信号測定部５５は、中心周波数ｆＩＦのＩＦ信号を、変換信号生成部１７から供給される周波数ｆＡＤＣのクロックを用いてデジタル信号に変換する。そして、変換信号生成部１７は、周波数ｆＴＸの送信用ローカル信号および周波数ｆＡＤＣのクロックを用いて周波数ｆＭＴＸの測定用ローカル信号を生成する。
【００９６】
このような構成により、送信信号測定部５５における測定用ローカル信号を生成するためのＶＣＯを不要としながら、送信用ローカル信号の周波数ｆＴＸに応じて周波数ｆＭＴＸが変化する測定用ローカル信号を生成することが可能となる。したがって、本発明の第１の実施の形態に係る無線通信装置では、装置の回路構成の簡略化を図ることができる。
【００９７】
また、本発明の第１の実施の形態に係る無線通信装置では、変換信号生成部１７は、周波数ｆＴＸの送信用ローカル信号と周波数ｆＡＤＣのクロックの分周クロックとを乗算する。そして、減衰回路３５は、上記乗算により発生する信号のうち、測定用ローカル信号の周波数ｆＭＴＸ以外の減衰対象周波数すなわちイメージ周波数の信号を減衰させる。
【００９８】
このような構成により、上記乗算によって発生するイメージ周波数の信号によってミキサ１９から妨害信号が出力され、データ補正部７６において誤ったデータ補正が行われることを防ぐことができる。
【００９９】
また、本発明の第１の実施の形態に係る無線通信装置では、送信用ローカル信号の周波数は変更可能であり、この周波数に応じて送信無線信号の周波数が変化する。そして、減衰回路３５は、送信用ローカル信号の周波数ｆＴＸに応じて減衰対象周波数を変更する。
【０１００】
このような構成により、無線通信装置の送信周波数が設定変更可能な場合でも、当該送信周波数に追従して減衰回路３５の減衰対象周波数を変更することができるため、イメージ周波数の信号を適切に除去することができる。
【０１０１】
また、本発明の第１の実施の形態に係る無線通信装置では、変換信号生成部１７において、電圧制御発振回路３１は、周波数ｆＴＸの送信用ローカル信号を生成し、この周波数ｆＴＸは、電圧制御発振回路３１に供給される制御電圧Ｖｃｔｒｌに応じて変化する。そして、減衰回路３５は、制御電圧Ｖｃｔｒｌに応じて減衰対象周波数を変更する。
【０１０２】
このような構成により、簡易な構成で送信用ローカル信号の周波数ｆＴＸの情報を減衰回路３５に通知することができる。
【０１０３】
また、本発明の第１の実施の形態に係る無線通信装置では、減衰回路３５は、供給される制御電圧Ｖｃｔｒｌに応じて容量値が変化する可変容量素子を含み、この可変容量素子の容量値に応じて減衰対象周波数が変化する。
【０１０４】
このような構成により、減衰回路３５における容量を連続的に制御できるので、インダクタンスを離散的に制御する構成と比べて、減衰対象周波数をなめらかに制御することができる。
【０１０５】
また、本発明の第１の実施の形態に係る無線通信装置では、減衰回路３５はトラップ回路である。
【０１０６】
このような構成により、イメージ周波数成分の信号のみを適切に減衰させることができる。
【０１０７】
また、本発明の第１の実施の形態に係る無線通信装置では、送信信号測定部５５において、ミキサ１９は、カプラ１６から受けた無線信号と周波数ｆＭＴＸの測定用ローカル信号とを乗算することにより、中心周波数ｆＩＦのＩＦ信号を出力する。アナログ／デジタル変換器２１は、変換信号生成部１７から供給される周波数ｆＡＤＣのクロックに基づいて、中心周波数ｆＩＦのＩＦ信号をデジタル信号に変換する。また、変換信号生成部１７において、分周回路３６は、周波数ｆＡＤＣのクロックを受けて分周する。ミキサ３４は、分周回路３６によって分周された周波数ｆＡＤＣのクロックと周波数ｆＴＸの送信用ローカル信号とを乗算することにより、周波数ｆＭＴＸの測定用ローカル信号を出力する。減衰回路３５は、ミキサ３４から出力される周波数ｆＭＴＸの測定用ローカル信号に含まれるイメージ周波数の信号を減衰させ、減衰後の測定用ローカル信号をミキサ１９へ出力する。
【０１０８】
このような構成により、簡易な構成で、送信信号測定部５５における測定用ローカル信号を生成するためのＶＣＯを不要としながら、送信用ローカル信号の周波数ｆＴＸに応じて周波数ｆＭＴＸが変化する測定用ローカル信号を生成することが可能となる。また、データ補正部７６において誤ったデータ補正が行われることを防ぐことができる。
【０１０９】
また、本発明の第１の実施の形態に係る無線通信装置では、送信データ処理部５１は、送信信号測定部５５によって変換されたデジタル信号に基づいて通信データを補正し、補正した通信データをアナログ信号に変換して出力する。
【０１１０】
このような構成により、ＶＣＯの搭載数を削減しながら、送信無線信号の測定結果を用いて通信データを補正し、無線通信装置の送信特性を向上させることができる。
【０１１１】
なお、本発明の第１の実施の形態に係る無線通信装置では、アナログ／デジタル変換器２１においてオーバーサンプリングが行われる場合について説明した。一方、アナログ／デジタル変換器２１においてアンダーサンプリングが行われる場合には、（ｆＴＸ＋ｆＩＦ）の周波数成分を有する妨害信号ではなく、他の周波数成分を有する妨害信号が問題となる。しかしながら、アンダーサンプリングの場合でも、アナログ／デジタル変換器２１に入力される信号の中心周波数ｆＩＦと、アナログ／デジタル変換器２１のサンプリングクロックの周波数ｆＡＤＣとの間には固定関係があることから、同様に本発明を適用可能である。
【０１１２】
すなわち、アナログ／デジタル変換器２１に入力される信号の中心周波数ｆＩＦと、アナログ／デジタル変換器２１のサンプリングクロックの周波数ｆＡＤＣとが１：４の関係ではなくても、１：３等の一定の関係にはなるので、変換信号生成部１７により、ＶＣＯの搭載数を削減し、妨害信号による誤動作の防止が可能となる。
【０１１３】
また、本発明の第１の実施の形態に係る無線通信装置では、アナログ／デジタル変換器２１においてＩＦサンプリングを行なう構成であるとしが、これに限定するものではない。アナログ／デジタル変換器２１の前段回路において送信無線信号がベースバンド信号にダウンコンバートされ、アナログ／デジタル変換器２１がベースバンド信号をサンプリングする構成であってもよい。
【０１１４】
また、本発明の第１の実施の形態に係る無線通信装置では、減衰回路３５は、電圧制御発振回路３１に供給される制御電圧Ｖｃｔｒｌに応じて減衰対象周波数を変更する構成であるとしたが、これに限定するものではない。減衰回路３５は、送信用ローカル信号の周波数ｆＴＸの情報を取得する構成であればよい。たとえば、信号処理部１１が送信無線信号の周波数情報を有し、ＰＬＬ回路３２の動作設定を行なう場合には、減衰回路３５は、信号処理部１１から送信用ローカル信号の周波数ｆＴＸの情報を取得する構成とすることができる。
【０１１５】
また、本発明の第１の実施の形態に係る無線通信装置では、減衰回路３５は、送信用ローカル信号の周波数ｆＴＸに応じて減衰対象周波数を変更する構成であるとしたが、これに限定するものではない。
【０１１６】
無線通信装置１０１の送信無線信号の周波数が一定である場合には、周波数ｆＭＴＸを変化させる必要はなく、減衰回路３５の減衰対象周波数が固定される構成であってもよい。
【０１１７】
また、本発明の第１の実施の形態に係る無線通信装置は、ＤＰＤを行なう構成であるとしたが、これに限定するものではない。ＤＰＤに限らず、送信無線信号の測定結果を外部へ出力したり、内部のメモリに蓄積したりする等、単に送信無線信号を測定する構成であってもよい。
【０１１８】
また、本発明の第１の実施の形態では、無線基地局装置１０１におけるＶＣＯの搭載数を削減する例を説明したが、本発明は、無線端末装置２０１等の他の無線通信装置にも適用可能である。
【０１１９】
また、本発明の第１の実施の形態に係る無線通信装置は、ＴＤＤ方式およびＦＤＤ方式等、種々の無線通信方式に適用することが可能である。
【０１２０】
次に、本発明の他の実施の形態について図面を用いて説明する。なお、図中同一または相当部分には同一符号を付してその説明は繰り返さない。
【０１２１】
＜第２の実施の形態＞
本実施の形態は、第１の実施の形態に係る無線通信装置と比べて送信信号測定部におけるミキサを２段設けた無線通信装置に関する。以下で説明する内容以外は第１の実施の形態に係る無線通信装置と同様である。
【０１２２】
図７は、本発明の第２の実施の形態に係る無線通信装置の構成を示す図である。
【０１２３】
図７を参照して、無線基地局装置（無線通信装置）１０２は、本発明の第１の実施の形態に係る無線通信装置と比べて、ベースバンド変換部７１を備えず、変換信号生成部１７の代わりに変換信号生成部６７を備え、送信信号測定部５５の代わりに送信信号測定部７７を備える。送信信号測定部７７は、ミキサ１９と、ＢＰＦ６１と、直交復調器６２と、アナログ／デジタル変換器（ＡＤＣ）２１と、ベースバンド変換部７１とを含む。直交復調器６２は、ミキサ６３を含む。
【０１２４】
送信信号測定部７７は、無線信号から変換したＩＦ信号（第１の測定信号）を、変換信号生成部６７から供給される周波数ｆＭＴＸ２の測定用ローカル信号（第３の測定用変換信号）を用いてさらに周波数の低いベースバンド信号またはＩＦ信号（第３の測定信号）に変換し、変換信号生成部６７から供給されるクロック（第２の測定用変換信号）に基づいて、変換された信号をデジタル信号に変換する。
【０１２５】
より詳細には、ミキサ１９は、カプラ１６から受けた無線信号と変換信号生成部６７から受けた周波数ｆＭＴＸ１の測定用ローカル信号とを乗算することにより、カプラ１６から受けた無線信号をＩＦ信号に周波数変換し、ＢＰＦ６１へ出力する。
【０１２６】
ＢＰＦ６１は、ミキサ１９から受けたＩＦ信号の周波数成分のうち、所定の周波数帯域外の成分を減衰させた信号を直交復調器６２へ出力する。
【０１２７】
直交復調器６２は、ＢＰＦ６１から受けたＩＦ信号と変換信号生成部６７から受けた周波数ｆＭＴＸ２の測定用ローカル信号とをミキサ６３によって乗算することにより、ＢＰＦ６１から受けたＩＦ信号を直交復調してベースバンド信号に変換し、アナログ／デジタル変換器２１へ出力する。このベースバンドのデジタル信号が、無線送信部５２から出力される送信無線信号の測定結果を示している。
【０１２８】
アナログ／デジタル変換器２１は、直交復調器６２から受けたベースバンド信号をサンプリング周波数ｆＡＤＣでアナログ／デジタル変換し、データ補正部７６へ出力する。ここで、アナログ／デジタル変換器２１は、変換信号生成部６７から受けた周波数ｆＡＤＣのクロックを用いて上記ベースバンド信号をサンプリングする。
【０１２９】
図８は、本発明の第２の実施の形態に係る変換信号生成部の構成を示す図である。
【０１３０】
図８を参照して、変換信号生成部６７は、変換信号生成部１７と比べて、さらに、ミキサ３７を含む。
【０１３１】
変換信号生成部６７は、周波数ｆＴＸの送信用ローカル信号および周波数ｆＡＤＣのクロックを用いて周波数ｆＭＴＸ１の測定用ローカル信号（第１の測定用変換信号）を生成し、周波数ｆＴＸの送信用ローカル信号および周波数ｆＭＴＸ１の測定用ローカル信号を用いて周波数ｆＭＴＸ２の測定用ローカル信号を生成する。
【０１３２】
より詳細には、ミキサ３７は、カプラ３３から受けた周波数ｆＴＸの送信用ローカル信号とミキサ３４から減衰回路３５経由で受けた周波数ｆＭＴＸ１の測定用ローカル信号とを乗算することにより、周波数ｆＭＴＸ２の測定用ローカル信号を生成してミキサ６３へ出力する。なお、変換信号生成部６７において、ミキサ３７の後段に、イメージ周波数の信号を減衰させるための減衰回路が設けられる構成であってもよい。
【０１３３】
このように、本発明の第２の実施の形態に係る無線通信装置では、送信信号測定部７７は、無線信号から変換したＩＦ信号を、変換信号生成部６７から供給される周波数ｆＭＴＸ２の測定用ローカル信号を用いてさらに周波数の低いベースバンド信号またはＩＦ信号に変換し、変換信号生成部６７から供給されるクロックに基づいて、変換された信号をデジタル信号に変換する。そして、変換信号生成部６７は、周波数ｆＴＸの送信用ローカル信号および周波数ｆＡＤＣのクロックを用いて周波数ｆＭＴＸ１の測定用ローカル信号を生成し、周波数ｆＴＸの送信用ローカル信号および周波数ｆＭＴＸ１の測定用ローカル信号を用いて周波数ｆＭＴＸ２の測定用ローカル信号を生成する。
【０１３４】
すなわち、送信用ローカル信号とアナログ／デジタル変換器２１へのサンプリングクロックとを用いて１段目のミキサ１９用の測定用ローカル信号を生成する構成により、本発明の第１の実施の形態に係る無線通信装置と同様に、ミキサ１９専用のＶＣＯが不要となり、回路構成の簡略化を図ることができる。
【０１３５】
さらに、本発明の第２の実施の形態に係る無線通信装置では、送信用ローカル信号とミキサ１９用の測定用ローカル信号とを用いて２段目のミキサ６３用の測定用ローカル信号を生成する構成により、ミキサ６３専用のＶＣＯが不要となる。すなわち、送信信号測定部７７における２つのＶＣＯが不要となり、回路構成の簡略化を図ることができる。
【０１３６】
その他の構成および動作は第１の実施の形態に係る無線通信装置と同様であるため、ここでは詳細な説明を繰り返さない。
【０１３７】
次に、本発明の他の実施の形態について図面を用いて説明する。なお、図中同一または相当部分には同一符号を付してその説明は繰り返さない。
【０１３８】
＜第３の実施の形態＞
本実施の形態は、第１の実施の形態に係る無線通信装置と比べてサンプリングクロックの代わりに測定用ローカル信号を用いて他の測定用ローカル信号を生成する無線通信装置に関する。以下で説明する内容以外は第１の実施の形態に係る無線通信装置と同様である。
【０１３９】
図９は、本発明の第３の実施の形態に係る無線通信装置の構成を示す図である。
【０１４０】
図９を参照して、無線基地局装置（無線通信装置）１０３は、本発明の第１の実施の形態に係る無線通信装置と比べて、変換信号生成部１７の代わりに変換信号生成部６８を備え、また、送信信号測定部５５の代わりに送信信号測定部７８を備える。送信信号測定部７８は、ミキサ１９と、ＢＰＦ６１と、直交復調器６２と、電圧制御発振回路３９と、アナログ／デジタル変換器（ＡＤＣ）２１と、ベースバンド変換部７１とを含む。直交復調器６２は、ミキサ６３を含む。
【０１４１】
送信信号測定部７８は、カプラ１６から受けた無線信号を、変換信号生成部６８から供給される周波数ｆＭＴＸ１の測定用ローカル信号（第１の測定用変換信号）を用いて周波数の低いＩＦ信号（第１の測定信号）に変換する。そして、送信信号測定部７８は、このＩＦ信号を、変換信号生成部６８から供給される周波数ｆＭＴＸ２の測定用ローカル信号（第２の測定用変換信号）を用いてさらに周波数の低いＩＦ信号（第２の測定信号）に変換する。そして、送信信号測定部７８は、このＩＦ信号を、変換信号生成部６８から供給される周波数ｆＡＤＣのクロックを用いてデジタル信号に変換する。
【０１４２】
より詳細には、ミキサ１９は、カプラ１６から受けた無線信号と変換信号生成部６８から受けた周波数ｆＭＴＸ１の測定用ローカル信号とを乗算することにより、カプラ１６から受けた無線信号をＩＦ信号に周波数変換し、ＢＰＦ６１へ出力する。
【０１４３】
ＢＰＦ６１は、ミキサ１９から受けたＩＦ信号の周波数成分のうち、所定の周波数帯域外の成分を減衰させた信号を直交復調器６２へ出力する。
【０１４４】
電圧制御発振回路３９は、周波数ｆＭＴＸ２の測定用ローカル信号を生成してミキサ６３および変換信号生成部６８へ出力する。
【０１４５】
直交復調器６２は、ＢＰＦ６１から受けたＩＦ信号と電圧制御発振回路３９から受けた周波数ｆＭＴＸ２の測定用ローカル信号とをミキサ６３によって乗算することにより、ＢＰＦ６１から受けたＩＦ信号を直交復調し、アナログ／デジタル変換器２１へ出力する。
【０１４６】
アナログ／デジタル変換器２１は、直交復調器６２から受けたＩＦ信号をサンプリング周波数ｆＡＤＣでアナログ／デジタル変換し、信号処理部１１におけるベースバンド変換部７１へ出力する。ここで、アナログ／デジタル変換器２１は、変換信号生成部６８から受けた周波数ｆＡＤＣのクロックに基づいて動作する。
【０１４７】
図１０は、本発明の第３の実施の形態に係る変換信号生成部の構成を示す図である。
【０１４８】
図１０を参照して、変換信号生成部６８は、変換信号生成部１７と比べて、分周回路３６を含まない構成である。
【０１４９】
変換信号生成部６８は、周波数ｆＴＸの送信用ローカル信号および周波数ｆＭＴＸ２の測定用ローカル信号を用いて周波数ｆＭＴＸ１の測定用ローカル信号を生成する。
【０１５０】
より詳細には、ミキサ３４は、カプラ３３から受けた周波数ｆＴＸの送信用ローカル信号と電圧制御発振回路３９から受けた周波数ｆＭＴＸ２の測定用ローカル信号とを乗算することにより、周波数ｆＭＴＸの測定用ローカル信号を生成して減衰回路３５へ出力する。
【０１５１】
このように、本発明の第３の実施の形態に係る無線通信装置では、送信信号測定部７８は、カプラ１６から受けた無線信号を、変換信号生成部６８から供給される周波数ｆＭＴＸ１の測定用ローカル信号を用いて周波数の低いＩＦ信号に変換する。送信信号測定部７８は、このＩＦ信号を、変換信号生成部６８から供給される周波数ｆＭＴＸ２の測定用ローカル信号を用いてさらに周波数の低いＩＦ信号に変換する。送信信号測定部７８は、このＩＦ信号を、変換信号生成部６８から供給される周波数ｆＡＤＣのクロックを用いてデジタル信号に変換する。そして、変換信号生成部６８は、周波数ｆＴＸの送信用ローカル信号および周波数ｆＭＴＸ２の測定用ローカル信号を用いて周波数ｆＭＴＸ１の測定用ローカル信号を生成する。
【０１５２】
すなわち、１段目のミキサ１９が用いる測定用ローカル信号の周波数ｆＭＴＸ１は送信周波数に合わせて可変であることが必要となるが、２段目のミキサ６３が用いる測定用ローカル信号の周波数ｆＭＴＸ２は可変である必要はない。したがって、送信用ローカル信号と２段目のミキサ６３が用いる測定用ローカル信号とを用いて１段目のミキサ１９用の測定用ローカル信号を生成する構成により、本発明の第１の実施の形態に係る無線通信装置と同様に、ミキサ１９専用のＶＣＯが不要となり、回路構成の簡略化を図ることができる。
【０１５３】
その他の構成および動作は第１の実施の形態に係る無線通信装置と同様であるため、ここでは詳細な説明を繰り返さない。
【０１５４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５５】
１１  信号処理部
１２  デジタル／アナログ変換器
１３  直交変調器
１４  ミキサ
１５  送信アンプ
１６  カプラ（分岐回路）
１７  変換信号生成部
１８  アンテナ
１９  ミキサ
２０  ＬＰＦ
２１  アナログ／デジタル変換器
２２  基準発振器
２３，２４  分周回路
２５  矩形波変換回路
３１  電圧制御発振回路
３２  ＰＬＬ回路
３３  カプラ
３４  ミキサ
３５  減衰回路
３６  分周回路
３７  ミキサ
３９  電圧制御発振回路
５１  送信データ処理部
５２  無線送信部
５５  送信信号測定部
６１  ＢＰＦ
６２  直交復調器
６３  ミキサ
６７  変換信号生成部
６８  変換信号生成部
７１  ベースバンド変換部
７５  通信データ生成部
７６  データ補正部
７７  送信信号測定部
７８  送信信号測定部
８２  トラップ制御回路
１０１，１０２，１０３  無線基地局装置（無線通信装置）
２０１  無線端末装置（無線通信装置）
３０１  無線通信システム
Ｌ  コイル
Ｃ  キャパシタ
ＣＶ  可変容量素子
Ｒ  抵抗
【図１】
2012119744.tif 000003
【図２】
2012119744.tif 000004
【図３】
2012119744.tif 000005
【図４】
2012119744.tif 000006
【図５】
2012119744.tif 000007
【図６】
2012119744.tif 000008
【図７】
2012119744.tif 000009
【図８】
2012119744.tif 000010
【図９】
2012119744.tif 000011
【図１０】
2012119744.tif 000012